(57)【要約】【課題】帯電手段の上側に設けられた現像手段から落下してくるトナーによる帯電手段のトナー汚れを簡単な構成で防止する。【解決手段】像担持体（１）の周囲に少なくとも二つの帯電手段と少なくとも二つの現像手段が配置される多色画像形成装置にして、或る帯電手段（４）がいずれかの現像手段（３）の鉛直下側に配置されている画像形成装置において、上記或る帯電手段を、鉛直上側に配された現像手段の下ケース（３ａ）像担持体側先端からの鉛直線よりも上記像担持体から離して配置する。【選択図】　　図３
2004109889.tif 000002
【特許請求の範囲】
【請求項１】
像担持体の周囲に少なくとも二つの帯電手段と少なくとも二つの現像手段が配置される多色画像形成装置にして、或る帯電手段がいずれかの現像手段の鉛直下側に配置されている画像形成装置において、
上記或る帯電手段を、鉛直上側に配された現像手段の下ケース像担持体側先端からの鉛直線よりも上記像担持体から離して配置することを特徴とする画像形成装置。
【請求項２】
像担持体の周囲に少なくとも二つの帯電手段と少なくとも二つの現像手段が配置される多色画像形成装置にして、或る帯電手段がいずれかの現像手段の鉛直下側に配置されている画像形成装置において、
上記或る帯電手段の鉛直上側に配された現像手段側シールド像担持体側先端を、上記現像手段側と反対側シールド先端若しくは帯電手段のグリッドからの鉛直線よりも上記像担持体から離して配置することを特徴とする画像形成装置。
【発明の詳細な説明】
【０００１】
【発明の属する技術分野】
本発明は、電子写真方式による複写機、プリンター、ファクシミリ装置などの画像形成装置に関するものである。
【０００２】
【従来の技術】
一つの像担持体周辺に複数の帯電手段及び複数の現像手段を配置し、順次帯電と現像を行って多色トナー像を形成し、転写材上に一括転写する多色画像形成装置において、例えば２色画像形成装置では第１の帯電手段により像担持体を帯電し、第１の露光手段により形成された静電潜像を第１の現像手段にて黒画像を形成した後、前記現像手段下流側に設けられた第２の帯電手段により前記像担持体を再帯電し、第２の露光手段により形成された静電潜像を更に下流側に設けられた第２の現像手段により、最初の色である黒色とは異なる色（例えば赤や青）の画像を形成する。第１の現像手段の下側に第２の帯電手段が配置されることになる場合、第１の現像手段から落下するトナーにより第２の帯電手段が汚れる。また第２の現像手段の下側に第１の帯電手段が配置されることになる場合も、第２の現像手段から落下するトナーにより第１の帯電手段が汚れる。その結果、これらの汚れにより帯電手段が放電ムラを生じてしまう。
【特許文献１】
特開平９−１１４１８７号公報
【０００３】
上記のようなトナー落下による下流側帯電手段の汚れに対して、上記特許文献１では、下流側帯電手段が像担持体から退避できるように、帯電手段退避手段が付加されている。このような構成によって、現像手段の開口部から落下するトナーを付着を回避するものである。
【０００４】
【発明が解決しようとする課題】
しかしながら、このような構成では帯電手段を移動させるための機構を必要とし、コストアップや装置自体の大型化を招来してしまう。
【０００５】
そこで本発明は、帯電手段の上側に設けられた現像手段から落下してくるトナーによる帯電手段のトナー汚れを簡単な構成で防止することを課題とするものである。
【０００６】
【課題を解決するための手段】
上記課題を解決するために、本発明によれば、像担持体の周囲に少なくとも二つの帯電手段と少なくとも二つの現像手段が配置される多色画像形成装置にして、或る帯電手段がいずれかの現像手段の鉛直下側に配置されている画像形成装置において、上記或る帯電手段を、鉛直上側に配された現像手段の下ケース像担持体側先端からの鉛直線よりも上記像担持体から離して配置する。
【０００７】
また上記或る帯電手段の鉛直上側に配された現像手段側シールド像担持体側先端を、上記現像手段側と反対側シールド先端若しくは帯電手段のグリッドからの鉛直線よりも上記像担持体から離して配置しても、上記課題を解決することができる。
【０００８】
【発明の実施の形態】
本発明の詳細を、図１から図４に基づいて説明する。図１は、本発明に係る画像形成装置の主たる構成を示すものである。
【０００９】
画像形成装置全体の配置などについては、従来と基本的に同じであるので、説明の簡略化のため、ここでは本発明の特徴的構成と関わることとなる部分についてのみ述べる。複数の色で形成された複数のトナー像を被転写体に一括転写するように構成されたカラー画像形成装置は、トナー画像を担持して矢印Ｒの方向に回動する像担持体である感光体ドラム１を有し、その周りに、感光体ドラム１の表面を負の電位に帯電させる第１帯電手段２、不図示の第１露光手段から照射されるレーザー光Ｌ１によって感光体ドラム１に形成された第１潜像を黒色トナーで現像する第１現像手段３、黒色トナー像が形成された感光体ドラム１を再度負に帯電させる第２帯電手段４、不図示の第２露光手段から照射されるレーザー光Ｌ２によって感光体ドラム１に形成された第２潜像を黒色以外のカラートナーで現像する第２現像手段５、その他不図示の転写手段、クリーニング手段、除電手段を備えて構成されている。そして第２帯電手段４は、図から認識できるように、第１現像手段３の下方に位置している。
【００１０】
第２帯電手段周辺を示す図２において、第２帯電手段４は、コロナ放電のためのコロナワイヤ４ａ、感光体ドラム１上を均一に帯電させるためのグリッド４ｂ、シールド４ｃで構成されている。この第２帯電手段４は、帯電領域を広げる目的から、感光体ドラム１に対する表面積を多くするため感光体ドラム１の中心点とコロナワイヤ４ａとを結ぶ線と感光体ドラム１外周との交点から接線に対して、グリッド４ｂが平行になるように設置されている。このとき第２帯電開口部及びグリッドが上側を向き加減であるため、第１現像手段開口部（現像下ケース３ａ）より落下したトナーを受け止めてしまう格好となり、その結果、第２現像手段、ワイヤ、グリッド汚れを発生させてしまう。
【００１１】
この問題を解決するため、第１の構成例としては、図３に示すように第１現像手段３の開口部である現像下ケース３ａの先端Ａから鉛直下方向に引いた破線１１より感光体ドラム１から退避する側へ第２帯電手段４を配置する。これにより第１現像手段３の開口部から落下したトナーが第２帯電手段４に付着することを防ぐことができる。
【００１２】
また第２の構成例としては、図４に示すように第２帯電手段シールド４ｃの上側先端を下側先端若しくはグリッド下側端部Ｂから鉛直上方向に引いた破線１２より感光体ドラム１方向に延長させる。これにより第１現像手段３の開口部から落下するトナーに対し、第２帯電手段４の開口部を覆うことができ、第２帯電手段４のトナー汚れを防止することができる。
【００１３】
【発明の効果】
請求項１に係る発明によれば、或る帯電手段を、鉛直上側に配された現像手段の下ケース像担持体側先端からの鉛直線よりも像担持体から離して配置するので、現像手段の開口部から落下するトナーが帯電手段に付着することを極力防ぐことができる。
【００１４】
請求項２に係る発明によれば、或る帯電手段の鉛直上側に配された現像手段側シールド像担持体側先端を、上記現像手段側と反対側シールド先端若しくは帯電手段のグリッドからの鉛直上方向に延びる線よりも像担持体から離して配置するので、帯電手段の開口部を上の現像手段に対して覆うようになり、現像手段の開口部から落下するトナーによる帯電手段トナー汚れを防ぐことができる。
【図面の簡単な説明】
【図１】画像形成装置の一例を説明するための概略図である。
【図２】図１の画像形成装置の配置構成の場合に生じ得る帯電手段トナー汚れを説明する拡大概略図である。
【図３】本発明による帯電手段トナー汚れ防止の構成を説明するための拡大概略図である。
【図４】別の帯電手段トナー汚れ防止構成を説明するための拡大概略図である。
【符号の説明】
１　　感光体
２　　第１帯電手段
３　　第１現像手段
３ａ　現像下ケース
４　　第２帯電手段
５　　第２現像手段
【図１】
2004109889.tif 000003
【図２】
2004109889.tif 000004
【図３】
2004109889.tif 000005
【図４】
2004109889.tif 000006